(57)【特許請求の範囲】
【請求項１】
浴室天井の入隅部に照明機器を備え、前記照明機器は、光源と、この光源の浴室空間側に対向配置され、天井面を照らす方向と床面を照らす方向との２方向に前記光源からの光を反射により照射可能な反射部材とを有し、前記天井面を照らす方向に照射された前記光は間接照明として機能し、かつ前記床面を照らす方向に照射された前記光は、直接照明として機能するものであって、
前記照明機器は、前記入隅部の内側に組み込んで配置されることを特徴とする照明構造。
【請求項２】
前記照明機器は、鏡が設置される側壁面の上方の入隅部に配置されることを特徴とする請求項１に記載の照明構造。
【請求項３】
浴室天井の入隅部に照明機器を備え、前記照明機器は、光源と、この光源の浴室空間側に対向配置され、天井面を照らす方向と床面を照らす方向との２方向に前記光源からの光を反射により照射可能な反射部材とを有し、前記照明機器は、前記光源の浴室空間側に対向配置される透光カバーを有し、前記反射部材は、前記透光カバーの中央部分に設けられていることを特徴とする照明構造。
【請求項４】
前記光源は、ＬＥＤと、前記ＬＥＤを搭載する基板と、前記基板を収納する基板ケースとを有して構成され、前記透光カバーは、両端部に、前記光源側に突出する軟質部材からなる係止部を備えており、前記両端部の係止部が前記基板ケースを挟持して前記透光カバーが前記基板ケースに取り付けられることを特徴とする請求項３に記載の照明構造。
【請求項５】
前記透光カバーの両端部の係止部の外側面に、軟質部材からなる突起部が形成されていることを特徴とする請求項４に記載の照明構造。
【発明の詳細な説明】
【技術分野】
【０００１】
本発明は、照明構造に関する。
【背景技術】
【０００２】
一つの照明機器にて浴室の洗い場側を明るく浴槽側を少し暗くなるように照らすことができる照明装置として、本出願人は、浴室の洗い場側と浴槽側との間の天井部に洗い場に向けて投光する照明機器を設けた照明装置を提案している（例えば、特許文献１参照）。
【０００３】
この照明装置は、照明機器からの投光にて洗い場側が直接照明されて洗い場側を明るく照らすことができるので、身体を洗ったりするなどの作業において十分な照度を確保することができる。一方、浴槽側は、洗い場に投光された光の反射による間接照明で暗く照明することができるので、くつろぎ感を出すことができる。
【先行技術文献】
【特許文献】
【０００４】
【特許文献１】特開平２−５２６１６号公報
【発明の概要】
【発明が解決しようとする課題】
【０００５】
上記照明装置における浴槽側への照明は洗い場側に向けて投光された光の反射光のみであるため、浴槽側の照明の照度は比較的暗く浴槽側は総じて暗くなる。くつろいで入浴するためには暗い方が好ましいが、入浴者の好みは多様である。浴槽側をもう少し明るくするためにやや浴槽寄りに投光することが考えられるが、洗い場側の照度が不足するなど使用快適性が損なわれるなどの問題がある。
【０００６】
本発明は、以上のとおりの事情に鑑みてなされたものであり、くつろぎ感を出しつつ、使用快適性が良好な照明効果を発揮することができる照明構造を提供することを課題としている。
【課題を解決するための手段】
【０００７】
上記の課題を解決するために、本発明の照明構造は、浴室天井の入隅部に照明機器を備え、前記照明機器は、光源と、この光源の浴室空間側に対向配置され、天井面を照らす方向と床面を照らす方向との２方向に前記光源からの光を反射により照射可能な反射部材とを有し、前記天井面を照らす方向に照射された前記光は間接照明として機能し、かつ前記床面を照らす方向に照射された前記光は、直接照明として機能するものであって、前記照明機器は、前記入隅部の内側に組み込んで配置されることを特徴とする。
【０００８】
この照明構造においては、前記照明機器は、鏡が設置される側壁面の上方の入隅部に配置されることが好ましい。
【０００９】
また、本発明の照明構造は、浴室天井の入隅部に照明機器を備え、前記照明機器は、光源と、この光源の浴室空間側に対向配置され、天井面を照らす方向と床面を照らす方向との２方向に前記光源からの光を反射により照射可能な反射部材とを有し、前記照明機器は、前記光源の浴室空間側に対向配置される透光カバーを有し、前記反射部材は、前記透光カバーの中央部分に設けられていることを特徴とする。
【００１０】
この照明構造においては、前記光源は、ＬＥＤと、前記ＬＥＤを搭載する基板と、前記基板を収納する基板ケースとを有して構成され、前記透光カバーは、両端部に、前記光源側に突出する軟質部材からなる係止部を備えており、前記両端部の係止部が前記基板ケースを挟持して前記透光カバーが前記基板ケースに取り付けられることが好ましい。
【００１１】
この照明構造においては、前記透光カバーの両端部の係止部の外側面に、軟質部材からなる突起部が形成されていることが好ましい。
【発明の効果】
【００１２】
本発明の照明構造によれば、くつろぎ感を出しつつ、使用快適性が良好な照明効果を発揮することができる。
【図面の簡単な説明】
【００１３】
【図１】本発明の照明構造の一実施形態を示す浴室ユニットの斜視図である。
【図２】図１の浴室ユニットの要部断面図である。
【図３】（ａ）は、図１の浴室ユニットの照明機器の斜視図であり、（ｂ）は、照明機器の要部分解斜視図である。
【発明を実施するための形態】
【００１４】
以下、図面を参照して本発明に係る照明構造の実施形態を説明する。
【００１５】
図１は、本発明の照明構造の一実施形態を示す浴室ユニットの斜視図である。図２は、図１の浴室ユニットの要部断面図である。図３（ａ）は、図１の浴室ユニットの照明機器の斜視図であり、図３（ｂ）は、照明機器の要部分解斜視図である。
【００１６】
図１の浴室ユニット１は、防水パン２、浴槽３、壁パネル４、天井材５を現場で組み立てて構成される。例えば、防水パン２の外端部の立ち上がりの上部に壁パネル載置部を形成し、この壁パネル載置部の上に複数の壁パネル４を載置する。そして、壁パネル４で囲まれる空間の上部開口を天井材５で塞ぐように壁パネル４の上に取り付ける。これによって、浴室空間としての浴室が画成される。
【００１７】
防水パン２の一方の側には床面２ａに洗い場６が形成され、他方の側には浴槽設置部７が形成され、浴槽３が設置される。壁パネル４は浴室の側壁部８を形成し、側壁部８の洗い場６側の側壁面８ａには鏡９、混合水栓１０、シャワーヘッド１１などが設置されている。浴室天井１２は、浴槽３側と洗い場６側との２枚の天井材５，５で構成され、浴槽３側と洗い場６側との間で２枚の天井材５，５が接続され、フラットな天井面１２ａが形成されている。
【００１８】
本実施形態では、浴室天井１２の入隅部１３に照明機器２０を備える。浴室天井１２の入隅部１３は、天井材５とこの天井材５に直交する壁パネル４との接合箇所に形成され、この入隅部１３に照明機器２０が配置される。照明機器２０は、入隅部１３の外側（浴室空間側）に配置することもできるが、デザイン性を考慮して目立たないように内側に配置することが好ましい。例えば、本実施形態のように、天井材５の表面５ａと壁パネル４の上端面４ａとの間の隙間に組み込んで照明機器２０を配置することで、浴室空間側から観察される照明機器２０の存在感が抑えられ、すっきりした浴室空間を付与することができる。また本実施形態では、洗い場６における洗体、洗髪などの作業のしやすさなど使い勝手を考慮して鏡が設置される側壁面８ａの上方の入隅部１３に照明機器２０が配置されている。
【００１９】
照明機器２０は、長尺形状を有し、浴室天井１２の入隅部１３全長にわたって設けられ、天井面１２ａを照らす方向（矢印Ｐで示す方向）と床面２ａを照らす方向（矢印Ｑで示す方向）との２方向に照射可能とされている。この照明機器２０は、光源２１と、この光源２１からの光を反射させる反射部材３０とを有する。
【００２０】
反射部材３０は、この光源２１の浴室空間側に対向配置され、光源２１からの光を、天井面１２ａを照らす方向と床面２ａを照らす方向との２方向に反射させる。具体的には、図２に示されるように、天井面１２ａを照らす方向に反射させる第１の反射面３１と床面を照らす方向に反射させる第２の反射面３２とを有する。第１の反射面３１及び第２の反射面３２はそれぞれ、直線的に傾斜する平面形状を有している。また、互いに隣接しており、反射部材３０は断面視略三角状に形成され、第１の反射面３１と第２の反射面３２とが交差する頂部３３が光源２１の正面に配置される。このような反射部材３０は、長尺状に形成され、照明機器２０の長手方向にその全長にわたって設けられている。
【００２１】
反射部材３０は、反射率の高い不透明性材料で押出工法などによって製造することができる。不透明性材料としては、例えば白色系樹脂などの合成樹脂などを挙げることができる。第１の反射面３１及び第２の反射面３２には、鏡面仕上げ、白色仕上げ、銀蒸着などの処理によって光反射パターンを形成することもできる。
【００２２】
第１の反射面３１及び第２の反射面３２は、光源２１からの光をより効果的に反射させて明るく照らすために、円弧状に湾曲する曲面形状とすることもできる。曲面形状としては、例えば、光源２１からの光をより効果的に集光する凹面形状、光源２１からの光をより効果的に拡散させる凸面形状などが挙げられる。
【００２３】
このように入隅部１３に配置された照明機器２０は、第１の反射面３１及び第２の反射面３２を有する反射部材３０が光源２１の浴室空間側に対向配置されているので、天井面１２ａを照らす方向と床面を照らす方向との２方向に向けて照射可能である。天井面１２ａを照らす方向に照射された光は、天井面１２ａ全体を照らすことが可能であり、間接照明として浴室空間全体に落ち着いた雰囲気をかもし出すなどくつろぎ感を高めることができる。床面を照らす方向に照射された光は、直接照明として洗い場などを明るく照らすことができる。この直接照明は光源２１からの光が反射部材３０によって分散されているので、眩しさ感が軽減されてもいる。したがって、本実施形態では、くつろぎ感を出しつつ、使用快適性が良好な照明効果を発揮することができる。
【００２４】
本実施形態の照明機器２０には、図２、図３（ａ）（ｂ）に示されるように、光源２１を保護する長尺の透光カバー４０が照明機器２０の長手方向にその全長にわたって光源２１の浴室空間側に対向して設けられている。
【００２５】
透光カバー４０は、透光性を有するカバーであり、平板形状を有し、光透過率の高い透明性材料で押出工法などによって製造することができる。透明性材料としては、例えば、アクリル樹脂などの合成樹脂などを挙げることができる。
この透光カバー４０の短手方向の中央部分に反射部材３０が設けられている。透光カバー４０は反射部材３０と別体として形成することもできるが、一体に形成することもできる。
【００２６】
透光カバー４０には反射部材３０を挟んで第１の透光部４１と第２の透光部４２とが形成されている。第１の透光部４１は、反射部材３０の第１の反射面３１からの反射光又は光源２１からの光（直接光）が透過可能とされ、第２の透光部４２は、反射部材３０の第２の反射面３２からの反射光又は光源からの光（直接光）が透過可能とされる。第１の透光部４１及び第２の透光部４２を透過した光はそれぞれ、天井面１２ａ及び床面を照らす。
【００２７】
透光カバー４０の短手方向の両端部には、光源２１側に向かって突出する軟質部材からなる平板状の係止部４３，４４が長手方向全長にわたって設けられ、係止部４３，４４の先端部には内側方向に突出する爪部４５，４６が設けられている。一方の係止部４３は透光カバー４０に対して光源２１とは反対側（浴室空間側）にも突出するように形成されている。他方の係止部４４は透光カバー４０の短手方向にも突出して形成されており、この突出部分と光源２１側に向かって突出する部分とから断面視略Ｌ字状に形成されている。このような係止部４３，４４は透光カバー４０と一体に形成することができる。
【００２８】
係止部４３，４４の外側面４３ａ，４４ａにはそれぞれ、軟質部材からなるヒレ状の突起部４７，４８が光源２１側に向かう方向に複数設けられ、係止部４３，４４と一体に形成されている。突起部４７，４８はやや浴室空間側に傾斜して係止部４３，４４の外側面４３ａ，４４ａに起立しており、係止部４３，４４の長手方向全長にわたって設けられている。
【００２９】
上記した軟質部材としては、例えば、ＥＰＤＭやシリコーンゴムなどの合成ゴム、塩化ビニル樹脂などの合成樹脂などを挙げることができる。
【００３０】
光源２１は、例えば、ＬＥＤ２２と、このＬＥＤ２２を搭載する基板２３と、基板２３を収納する基板ケース２４とを有して構成される。基板２３は帯状に形成されており、表面側には、ＬＥＤ２２が複数、所定間隔をあけて長手方向一列に搭載されており、裏面側には、放熱性を高めるために伝熱シート２９が取り付けられている。
【００３１】
基板ケース２４は、例えば、放熱性の良好な金属などの剛性部材で構成される。本実施形態の基板ケース２４は、長方形状の底壁２５と、この底壁２５の長辺の縁部から略垂直に立ち上がる一対の周側壁２６とから断面視略コ字状に形成され、底壁２５の対向面は開口２８を有している。一対の周側壁２６，２６の外側面２６ａ，２６ａには、透光カバー４０の係止部４３，４４の爪部４５，４６と係合する凹溝２７，２７が長手方向全長にわたって形成されている。凹溝２７，２７は、周側壁２６，２６の外側面２６ａ，２６ａに対して内側に凹んでおり、その内面形状は係止部４３，４４の爪部４５，４６の外面形状に対応する形状に形成されている。
【００３２】
ＬＥＤ２２を搭載した基板２３は、ＬＥＤ２２の搭載面が基板ケース２４の開口２８に臨むように基板ケース２４内に収納される。基板２３を収納した基板ケース２４は入隅部１３に組み込まれるなどして光源２１が入隅部１３に配置される。
【００３３】
透光カバー４０は、基板ケース２４の一対の周側壁２６，２６を跨いで開口２８を覆うように基板ケース２４に取り付けられている。透光カバー４０の両端部の係止部４３，４４の間に基板ケース２４を嵌め込むなどして基板ケース２４を係止部４３，４４で挟持することによって透光カバー４０を簡便に基板ケース２４に取り付けることができる。また、係止部４３，４４の爪部４５，４６を基板ケース２４の周側壁２６，２６の凹溝２７，２７に引っ掛けた状態で基板ケース２４を係止部４３，４４で挟持することもでき、透光カバー４０をより安定して基板ケース２４に取り付けることができる。
【００３４】
透光カバー４０は、光源２１が入隅部１３に組み込まれた状態において、透光カバー４０の外側面４０ａが側壁面８ａと略平行になるように基板ケース２４に装着されている。
このような照明機器２０が入隅部１３に配置された浴室ユニットは、よりすっきりした浴室空間が付与され、意匠性が高められている。
【００３５】
透光カバー４０の係止部４３，４４はパッキンとしても機能する。基板ケース２４が透光カバー４０の係止部４３，４４で挟持された状態で入隅部１３に組み込まれると、図２に示されるように、入隅部１３における照明機器２０の隙間が係止部４３，４４で密閉される。例えば、照明機器２０と天井材５の表面５ａとの間の隙間、照明機器２０と壁パネル４の上端面４ａとの間の隙間が、透光カバー４０の係止部４３，４４で密閉される。この係止部４３，４４のパッキン機能によって、照明機器２０の水密性を確保することができる。
【００３６】
また、本実施形態では、上述したように、透光カバー４０の係止部４３，４４の外側面４３ａ，４４ａには突起部４７，４８が設けられている。照明機器２０が入隅部１３に配置された状態において、この突起部４７，４８が水の侵入をより効果的に阻止するので、水密性をより高めることができ、信頼性を向上させることができる。
【００３７】
さらにまた本実施形態では、照明機器２０が入隅部１３に配置された状態において、透光カバー４０の一方の係止部４３における浴室空間側に突出する部分４３１が天井面１２ａに沿うように配置されている。また、他方の係止部４４における透光カバー４０の短手方向に突出する部分４４１が側壁面８ａに沿うように配置されている。このように配置された突出する部分４３１，４４１は水の侵入の低減に寄与し、水密性をより高めて信頼性を向上させることができる。
【００３８】
図３（ａ）（ｂ）に示されるように、基板ケース２４の長手方向両端部には平板状のエンドキャップ５０が装着される。このエンドキャップ５０によって、基板ケース２４とこの基板ケース２４に装着される透光カバー４０とで形成される基板ケース２４の長手方向両端部の開口が閉塞され、水密性が確保されるなど基板ケース２４内のＬＥＤ２２や基板２３が保護される。
【００３９】
以上、実施形態に基づき本発明を説明したが、本発明は上記の実施形態に何ら限定されるものではなく、その要旨を逸脱しない範囲内において各種の変更が可能である。例えば、照明機器が配置される浴室天井の入隅部は、鏡が設置される側壁面の上方の入隅部に限定されない。鏡が設置される側壁面の上方の入隅部以外の浴室天井の入隅部にも照明機器を配置することができる。また浴室天井の複数の入隅部に照明機器を配置することもできる。
【符号の説明】
【００４０】
１２  浴室天井
１２ａ  天井面
１３  入隅部
２０  照明機器
２１  光源
２２  ＬＥＤ
２３  基板
２４  基板ケース
２８  開口
３０  反射部材
４０  透光カバー
４３，４４  係止部
４７，４８  突起部
【図１】
0005899499.tif 000002
【図２】
0005899499.tif 000003
【図３】
0005899499.tif 000004